【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
チェーンテンショナ用ブレードアセンブリであって、
第１の端部（Ｂ１）と、第２の端部（Ｂ２）と、前記第１の端部（Ｂ１）と前記第２の端部（Ｂ２）の間に伸びる中央部（Ｂ３）とを備えシュー（Ｂ）と、
前記シュー（Ｂ）の前記第１の端部（Ｂ１）に画定されたピボット穴（ＰＢ）と、
ばね受け領域（Ｒ）内にあるばね（Ｓ）と、
を備え、
中央部（Ｂ３）は、（ｉ）関連するチェーンに摺動可能に係合されるようになった外側表面（ＯＳ）と、（ｉｉ）前記外側表面（ＯＳ）の反対側に位置する内側表面（ＩＳ）とを備え、
前記シュー（Ｂ）の前記第１の端部（Ｂ１）は第１のばね受けスロット（Ｌ１）を備え、前記シュー（Ｂ）の前記第２の端部（Ｂ２）は第２のばね受けスロット（Ｌ２）を備え、
前記第１のばね受けスロット（Ｌ１）と前記第２のばね受けスロット（Ｌ２）と前記シュー（Ｂ）の前記内側表面（ＩＳ）とが前記ばね受け領域（Ｒ）を提供し、
前記第１のばね受けスロット（Ｌ１）は、（ｉ）前記シュー（Ｂ）の前記中央部（Ｂ３）の前記内側表面（ＩＳ）に離間して面する第１の下部壁（ＬＷ１）と、（ｉｉ）前記シュー（Ｂ）の前面（ＦＦ）に隣接して前記第１の下部壁（ＬＷ１）に接続された第１の外側壁（Ｗ１）と、を備え、
前記第２のばね受けスロット（Ｌ２）は、（ｉ）前記シュー（Ｂ）の前記中央部（Ｂ３）の前記内側表面（ＩＳ）に離間して面する第２の下部壁（ＬＷ２）と、（ｉｉ）前記シュー（Ｂ）の前記前面（ＦＦ）に隣接して前記第２の下部壁（ＬＷ２）に接続された第２の外側壁（Ｗ２）と、を備え、
前記ばね（Ｓ）は、（ｉ）前記第１のばね受けスロット（Ｌ１）内に位置する第１の端部（Ｓ１）と、（ｉｉ）前記第２のばね受けスロット（Ｌ２）内に位置する第２の端部（Ｓ２）と、（ｉｉｉ）前記シュー（Ｂ）の前記中央部（Ｂ３）の前記内側表面（ＩＳ）に接触している中央部（Ｓ３）とを備え、
前記第１のばね受けスロット（Ｌ１）は、前記シュー（Ｂ）の背面（ＲＦ）に隣接して前記第１の下部壁（ＬＷ１）に接続された第１の固定タブ（Ｔ１）であって、前記シュー（Ｂ）の前記中央部（Ｂ３）の前記内側表面（ＩＳ）の方向に部分的に伸びかつ前記シュー（Ｂ）の前記中央部（Ｂ３）の前記内側表面（ＩＳ）から離間している第１の固定タブ（Ｔ１）を更に備え、
前記第２のばね受けスロット（Ｌ２）は、前記シュー（Ｂ）の前記背面（ＲＦ）に隣接し前記第２の下部壁（ＬＷ２）に接続された第２の固定タブ（Ｔ２）であって、前記シュー（Ｂ）の前記中央部（Ｂ３）の前記内側表面（ＩＳ）の方向に部分的に伸びかつ前記シュー（Ｂ）の前記中央部（Ｂ３）の前記内側表面（ＩＳ）から離間している第２の固定タブ（Ｔ２）を更に備え、
前記ばね（Ｓ）の前記第１の端部（Ｓ１）は、前記第１の外側壁（Ｗ１）と前記第１の固定タブ（Ｔ１）との間に配置され、
前記ばね（Ｓ）の前記第２の端部（Ｓ２）は、前記第２の外側壁（Ｗ２）と前記第２の固定タブ（Ｔ２）との間に配置される、
チェーンテンショナ用ブレードアセンブリ。
【請求項２】
前記第１の外側壁（Ｗ１）と前記第１の固定タブ（Ｔ１）はそれぞれ、前記第１の下部壁（ＬＷ１）から前記シュー（Ｂ）の前記中央部（Ｂ３）の前記内側表面（ＩＳ）に向かって途中までしか伸びず、前記第１の外側壁（Ｗ１）と前記第１の固定タブ（Ｔ１）が前記中央部（Ｂ３）の前記内側表面（ＩＳ）から離間している、請求項１に記載のチェーンテンショナ用ブレードアセンブリ。
【請求項３】
前記第２の固定タブ（Ｔ２）は、前記第２の下部壁（ＬＷ２）から前記シュー（Ｂ）の前記中央部（Ｂ３）の前記内側表面（ＩＳ）に向かって途中までしか伸びず、前記第２の固定タブ（Ｔ２）が前記シュー（Ｂ）の前記中央部（Ｂ３）の前記内側表面（ＩＳ）から離間している、請求項２に記載のチェーンテンショナ用ブレードアセンブリ。
【請求項４】
前記第２の外側壁（Ｗ２）は、前記第２の下部壁（ＬＷ２）と前記シュー（Ｂ）の前記中央部（Ｂ３）の前記内側表面（ＩＳ）との間に伸びて両者を接続し、前記第２の外側壁（Ｗ２）は、その中に画定されたピン受け開口（Ｏ）を備えている、請求項３に記載のチェーンテンショナ用ブレードアセンブリ。
【請求項５】
前記第１と第２の固定タブ（Ｔ１、Ｔ２）がそれぞれ、
前記シュー（Ｂ）の背面（ＲＦ）から前記シュー（Ｂ）の前面（ＦＦ）へ向かって伸びるに伴い、前記シュー（Ｂ）の前記中央部（Ｂ３）の前記内側表面（ＩＳ）に向かって伸びる傾斜部（ＩＦ）を含む外側面（ＯＦ）と、
前記外側面（ＯＦ）に直交する方向を向いた固定面（ＩＦ）と、
を備え、
前記第１の固定タブ（Ｔ１）の前記固定面（ＩＦ）は前記第１の外側壁（Ｗ１）に向かって離間しており、前記第２の固定タブ（Ｔ２）の前記固定面（ＩＦ）は前記第２の外側壁（Ｗ２）に向かって離間している、請求項１〜請求項４の何れか１項に記載のチェーンテンショナ用ブレードアセンブリ。
【請求項６】
前記第１と第２の固定タブ（Ｔ１、Ｔ２）のそれぞれの前記外側面（ＯＦ）は、傾斜面（ＩＦ）を前記固定面（ＩＦ）に接続する平坦面（ＦＴ）をさらに含み、前記平坦面（ＦＴ）は前記チェーンテンショナ用ブレードアセンブリの組立時に前記第１と第２のばね端部（Ｓ１、Ｓ２）が前記第１と第２のばね受けスロット（Ｌ１、Ｌ２）へ入り込むことを可能とする、請求項５に記載のチェーンテンショナ用ブレードアセンブリ。
【請求項７】
前記ばね（Ｓ）の前記第１の端部（Ｓ１）は前記第１のばね受けスロット（Ｌ１）の前記第１の下部壁（ＬＷ１）に当接し、
前記ばね（Ｓ）の前記第２の端部（Ｓ２）は前記第２のばね受けスロット（Ｌ２）の前記第２の下部壁（ＬＷ２）に当接する、請求項５又は請求項６に記載のチェーンテンショナ用ブレードアセンブリ。
【請求項８】
前記ばね（Ｓ）は、
内側と外側の側端（Ｅ２、Ｅ１）と、
第１と第２の終端（Ｅ３、Ｅ４）と
を備えた一体の金属体を備え、
前記第１と第２の終端（Ｅ３、Ｅ４）は、直線または途切れのない曲線で連続的に画定され、前記第１と第２の終端（Ｅ３、Ｅ４）が前記第１と第２の終端（Ｅ３、Ｅ４）の全長に亘って前記第１と第２のばね受けスロット（Ｌ１、Ｌ２）内の前記第１と第２の下部壁（ＬＷ１、ＬＷ２）に連続的に隣接して伸びるようになっている、請求項７に記載のチェーンテンショナ用ブレードアセンブリ。
【請求項９】
前記ばね（Ｓ）は、
内側と外側の側端（Ｅ２、Ｅ１）と、
第１と第２の終端（Ｅ３、Ｅ４）と
を備えた一体の金属体を備え、
前記ばね（Ｓ）の前記内側の側端（Ｅ２）は、前記ばね（Ｓ）の前記内側の側端（Ｅ２）が前記シュー（Ｂ）の前記背面（ＲＦ）から少なくとも隔離距離Ｄだけ離間するようにして、前記第１と第２の固定タブ（Ｔ１、Ｔ２）の両方で前記ばね受け領域（Ｒ）内に捕捉され、
前記ばねの前記外側の側端（Ｅ１）は、前記第１と第２の外側壁（Ｗ１、Ｗ２）により前記ばね受け領域（Ｒ）内に捕捉される、請求項１〜請求項８の何れか１項に記載のチェーンテンショナ用ブレードアセンブリ。
【請求項１０】
前記シュー（Ｂ）は一体の高分子成形体を備える、請求項１〜請求項９の何れか１項に記載のチェーンテンショナ用ブレードアセンブリ。
【請求項１１】
前記チェーンテンショナ用ブレードアセンブリ（ＢＡＳ）が動作可能に取り付けられるブラケット（Ｋ）をさらに備え、
前記ブラケット（Ｋ）は、
前記シュー（Ｂ）の前記ピボット穴（ＰＢ）内に位置するピボットピン（Ｐ）と、
ブラケット（Ｋ）の主壁（ＭＷ）と、前記ブラケット（Ｋ）の主壁（ＭＷ）から外方向に伸びる傾斜部（Ｒ）と、前記ブラケット（Ｋ）の主壁（ＭＷ）から離間した位置で前記傾斜部（Ｒ）から伸びるブラケット（Ｋ）の外側壁（ＯＷ）との間に画定される溝（ＣＨ）と、
を備え、
前記シュー（Ｂ）の前記第２の端部（Ｂ２）は前記溝（ＣＨ）の中にあって前記傾斜部（Ｒ）上に支えられている、請求項１〜請求項１０の何れか１項に記載のチェーンテンショナ用ブレードアセンブリ。
【請求項１２】
前記第１と第２の固定タブ（Ｔ１、Ｔ２）は、前記ばね（Ｓ）の内側側端（Ｅ２）と前記ブラケット（Ｋ）の主壁（ＭＷ）との間に最小の隔離距離Ｄを維持する、請求項１１に記載のチェーンテンショナ用ブレードアセンブリ。
【請求項１３】
（ｉ）主壁（ＭＷ）と、（ｉｉ）前記主壁（ＭＷ）から外側に突出したピボットピン（Ｐ）と、（ｉｉｉ）前記主壁（ＭＷ）から外側に延びる傾斜部（Ｒ）とを備えるブラケット（Ｋ）と、
前記ブラケット（Ｋ）に動作可能に接続された請求項１〜請求項１２の何れか１項に記載のチェーンテンショナ用ブレードアセンブリ（ＢＡＳ）と、
を備え、
前記第１と第２の固定タブ（Ｔ１、Ｔ２）は、前記ばね（Ｓ）と前記ブラケット（Ｋ）の前記主壁（ＭＷ）との間の空間を維持しかつ前記ばね（Ｓ）と前記ブラケット（Ｋ）の前記主壁（ＭＷ）との間の接触を防止する、
チェーンテンショナ。